(57)【要約】【課題】  ＨＤＤ等を内蔵するデジタル放送受信機でデジタルTV放送番組をＨＤＤ等に蓄積する場合に効率よく蓄積が可能なデジタル放送受信機を提供する。【解決手段】  デジタル放送サービスを受信し内蔵された蓄積手段に記録し、該記録内容を再生することが可能なデジタル放送受信装置において、少なくとも、デジタル放送を受信するチューナ手段と、該チューナ手段により受信された受信ストリームをトランスポート・ストリームに復調する伝送路復調手段と、該伝送路復調手段により復調されたトランスポート・ストリームを記録する蓄積手段と、前記伝送路復調手段による復調時に受信ストリームのエラーを検出するエラー検出処理手段と、該エラー検出処理手段における検出結果に基づいて前記蓄積手段を制御する蓄積制御手段とを備えるようにした。【選択図】  図１
2006352906.tif 000002
【特許請求の範囲】
【請求項１】
デジタル放送を受信するチューナ手段と、
前記チューナ手段により受信された受信ストリームを復調する伝送路復調手段と、
前記伝送路復調手段により復調されたストリームを記録する蓄積手段と、
前記伝送路復調手段による復調時に受信ストリームのエラーを検出するエラー検出処理手段と、
前記エラー検出処理手段における検出結果に基づいて前記蓄積手段を制御する蓄積制御手段とを具備してなることを特徴とするデジタル放送受信装置。
【請求項２】
前記エラー検出処理手段が、受信ストリームのトランスポート・パケットの構成要素であるエラー・インジケータ情報を検出することにより前記蓄積制御手段は、前記蓄積手段を制御することを特徴とする請求項１に記載のデジタル放送受信装置。
【請求項３】
前記蓄積制御手段は、エラーがないトランスポート・パケットは記録し、エラーが検出されたトランスポート・パケットは記録しないように前記蓄積手段を制御することを特徴とする請求項１または請求項２に記載のデジタル放送受信装置。
【請求項４】
前記蓄積制御手段は、エラーがないトランスポート・パケットは記録し、エラーが検出された場合には、記録中の番組コンテンツが削除するように前記蓄積手段を制御することを特徴とする請求項１または請求項２に記載のデジタル放送受信装置。
【請求項５】
前記エラー検出処理手段が、受信ストリームのビットエラーレート情報を検出することにより前記蓄積制御手段は、前記蓄積手段を制御することを特徴とする請求項１に記載のデジタル放送受信装置。
【請求項６】
前記蓄積制御手段は、予め設定された閾値より小さいビットエラーレートのトランスポート・パケットは記録し、該閾値より大きいビットエラーレートのトランスポート・パケットは記録しないように前記蓄積手段を制御することを特徴とする請求項１または請求項５に記載のデジタル放送受信装置。
【請求項７】
前記蓄積制御手段は、予め設定された閾値より小さいビットエラーレートのトランスポート・パケットは記録し、ビットエラーレートが該閾値より大きくなった場合には、記録中の番組コンテンツを削除するように前記蓄積手段を制御することを特徴とする請求項１または請求項５に記載のデジタル放送受信装置。
【請求項８】
前記蓄積制御手段は、番組コンテンツのジャンル情報に基づいて、前記蓄積手段を制御することを特徴とする請求項１ないし請求項７のいずれかに記載のデジタル放送受信装置。
【請求項９】
前記蓄積手段に蓄積された、映像、文字情報、または、音声を外部に出力する出力手段を備えてなることを特徴とする請求項１ないし請求項８のいずれかに記載のデジタル放送受信装置。
【発明の詳細な説明】
【技術分野】
【０００１】
本発明は、ハードディスクドライブ（ＨＤＤ）などの情報蓄積装置を内蔵したデジタル放送受信装置に関し、詳しくは、デジタル放送のコンテンツをＨＤＤに記録する場合に用いて無駄のない、効率よい蓄積が可能なデジタル放送受信装置に関する。
【背景技術】
【０００２】
近年のデジタル技術及び、LSI化技術の進歩により、映像・音声・データなどのあらゆる情報がデジタル化されると共に、パーソナルコンピュータ(ＰＣ)の普及によるハードディスクドライブ(HDD)の低価格化、大容量化などにより、HDDなどに代表される記録蓄積装置にデジタル化された情報を蓄積して様々な形でその情報を利用することができるようになった。例えば、デジタル放送受信装置にＨＤＤ及び、MPEG2デコーダなどを内蔵することにより、デジタルTV放送番組をＨＤＤに蓄積できるようになった。これにより、デジタルＴＶ放送番組を見たいときにいつでも視聴できるいわゆるタイムシフト再生機能など、便利な機能を備えたＨＤＤを内蔵した端末が実現されている。
【発明の開示】
【発明が解決しようとする課題】
【０００３】
ところが、従来のＨＤＤを内蔵した端末において以下の課題がある。
つまり、ＨＤＤを内蔵した端末においてデジタル放送を固定受信しているとき、特にＢＳ／ＣＳデジタル放送を受信しているときには降雨などの影響により受信ストリームにエラーが発生することがある。また、地上デジタル放送においてもＯＦＤＭ(Orthogonal Frequency Division Multiplex)方式且つ周波数及び、時間インターリーブ技術が用いられているものの、移動或いは携帯受信しているとき、弱電界エリアでの受信において、やはり受信ストリームにエラーが発生することがある。
【０００４】
従来のＨＤＤを内蔵した端末において受信ストリームをＨＤＤに記録する場合には、エラーなしの受信ストリームのみではなく、エラーありの受信ストリームも記録されることになる。
【０００５】
一般的に、エラーがあるストリームをデコードした場合、例えばＭＰＥＧ２圧縮された映像においては、ブロック歪（或いはエラーがあるＴＳＰだけデコードしないようにすれば画ぬけ）が発生する。また、ＭＰＥＧ圧縮された音声においては、「ブチ」音などのノイズが発生し、エラーの頻度にもよるが視聴に耐えがたいものである。さらに多くのエラーが発生すると、デコード処理さえできなくなる。
【０００６】
このような視聴に耐えがたい或いはデコード処理さえ不可能なストリームは、ＨＤＤに記録すること自体が無駄であり、容量が限られているHDDなどの蓄積装置には記録しないようにする方が望ましい。また、もしエラーが発生した場合においても、利用者にとって視聴に耐えがたいものとそうでないものを選択して記録できる方が望ましい。
【０００７】
本発明は、このような状況に鑑みてなされたものであり、データを効率良く記録することが可能な受信装置を提供することを目的とする。
【課題を解決するための手段】
【０００８】
上記目的を達成するために、特許請求の範囲に開示されている技術的思想を用いればよい。
【発明の効果】
【０００９】
本発明によれば、データを効率良く記録することが可能な受信装置を提供することができる。
【発明を実施するための最良の形態】
【００１０】
以下、図1乃至図５を用いて本発明の実施の形態を詳細に説明する。
図1は、本発明のデジタル放送受信装置の構成例を示すブロック図である。図１において、１はチューナ部、２は伝送路復調化処理部、３は多重化分離処理部、４は蓄積装置制御部、５は蓄積装置部、６は情報復号処理部、７はユーザインタフェース部、８はＣＰＵ部、９はシステムバス部、１０はエラー検出処理部である。同図において、チューナ部１、伝送路復調化処理部２、多重化分離処理部３、蓄積装置制御部４、蓄積装置部５、情報復号処理部６、ユーザインタフェース部７、ＣＰＵ部８、エラー検出処理部１０はそれぞれシステムバス部９で接続されている。
【００１１】
本実施の形態におけるデジタル放送受信装置は、図１に示すように、衛星・地上・ケーブルなどの放送伝送網からの受信信号がチューナ１に入力される。チューナ１は選局、検波処理を施し、処理後の出力は、伝送路復調化処理部２に供給される。伝送路復調化処理部２は、デジタル復調及び、誤り訂正処理を施し処理
後の出力は、多重化分離処理部３及び、蓄積装置制御部４に供給される。一方、デジタル復調及び、誤り訂正処理の過程におけるストリームのビットエラーレート及び、エラー・インジケータ情報がエラー検出処理部１０に供給される。デジタル放送では、情報の伝達にＭＰＥＧシステムで規格化されているトランスポート・ストリーム（ＴＳ）が用いられているが、ＴＳは１８８バイト固定長のトランスポート・パケット（ＴＳＰ）で構成されている。ＴＳＰは最初の１バイトは同期バイトであり、次の１ビットが誤り表示（エラー・インジケータ）を示している。これは、パケット中のビット・エラーの有無を示すものであり、上記のように受信ストリームにエラーが発生すると伝送路復調化処理部２においてエラー・インジケータが”１”に設定される（エラーがない場合は”０”）。エラー・インジケータ情報とは、上記エラー・インジケータの情報のことである。
【００１２】
エラー検出処理部１０は、伝送路復調化処理部２からのビットエラーレート及び、エラー・インジケータ情報をもとに蓄積装置部５を制御するための情報を蓄積装置制御部４に供給する。
【００１３】
多重分離化処理部３は、選局された映像／音声データ情報及び、番組ガイド情報などの番組関連情報の分離処理を施し、情報復号処理部６に供給する。番組関連情報は、CPU部８に設置されているメモリの専用領域に取り込まれ、映像／音声データ情報は、情報復号処理部６に供給される。情報復号処理部６は、多重化分離処理部３からの情報を復調し、復調された映像・音声、CPU部８に取り込まれた番組関連情報はユーザインタフェース部７の出力装置である表示装置及びスピーカ装置にて再生される。
【００１４】
ユーザインタフェース部７は、例えば、入力装置として図示しないキーボードやマウス或いはリモコンなどを有し、出力装置として映像または文字情報等を表示する図示しないＣＲＴや液晶やＰＤＰ等を利用した表示装置及び、音声を出力するスピーカ装置等を有しており、利用者が所定のキー操作を行うことにより、蓄積装置制御部４を介して蓄積装置部５の動作を制御したり、ＣＰＵ部８を介してチューナ部１に選局動作などの要求情報を出すことができるようになされている。
【００１５】
蓄積装置制御部４は、蓄積装置部５に記録する場合には蓄積装置部５を記録モードに設定し、伝送路復調化処理部２からのＴＳを蓄積装置部５に記録するのに適した形式への変換処理を施して蓄積装置部５に供給する。一方、蓄積装置制御部４は、蓄積装置部５に記録されている情報を再生する場合には蓄積装置部５を再生モードに設定し、蓄積装置部５からＴＳを抽出し、多重化分離処理部３に供給する。また、蓄積装置制御部４は、蓄積装置部５からの映像・音声・データなどの情報を再生する場合に特殊再生を行ったり、或いはタイムシフト再生を行う場合にもそれぞれの再生が可能なように、蓄積装置部５の動作を制御する。
【００１６】
尚、蓄積装置部５は、読書きのアクセス速度の高速化及び蓄積情報を効率的に管理が図れるハードディスクドライブ（ＨＤＤ）、読書き可能な光ディスク、読書き可能な光磁気ディスク及び、読書き可能な磁気ディスクなどのディスクを利用した蓄積メディアや、半導体を利用した蓄積メディアなどが使用されることが好ましいが、磁気テープなどのテープ媒体を利用した蓄積メディアを使用してもかまわない。
【００１７】
CPU８は、上記システムバス９を介して、チューナ部１、伝送路復調化処理部２、多重化分離処理部３、蓄積装置制御部４、蓄積装置部５、情報復号処理部６、ユーザインタフェース部７、エラー検出処理部１０における上記で説明した動作を実現するための制御を行う。
【００１８】
以下、図２乃至図４を用いて本実発明の具体的な動作例を説明する。図２乃至図４は、本発明のデジタル放送受信装置の動作例を示すフローチャートである。一般的に、ＢＳ／ＣＳデジタル放送を受信しているとき、降雨などの影響により受信ストリームにエラーが発生する。また、地上デジタル放送においてもＯＦＤＭ方式且つ様々なインターリーブ技術が用いられているが、やはり移動或いは携帯受信しているときに弱電界領域での受信において受信ストリームにエラーが発生する。このようなエラーがあるストリームをデコードした場合、例えばＭＰＥＧ２圧縮された映像では、ブロック歪（或いはエラーがあるＴＳＰだけデコードしないようにすれば画ぬけ）が発生し、また、ＭＰＥＧ圧縮された音声では「ブチ」音などのノイズが発生し、エラーの頻度にもよるが視聴に耐えがたい。
【００１９】
蓄積装置部５にデジタル放送の番組を記録する場合、上記視聴に耐えがたいエラーが起こった番組を記録することは無駄であり、容量が限られている蓄積装置では記録しないようにする方が望ましく、そのほうが効率よく記録ができる。
【００２０】
視聴に耐えがたいというレベルには個人差があり、ある利用者は一度でもブロック歪或いは画ぬけが発生するとストレスを感じる人もいれば、多少の頻度で生じるブロック歪或いは画ぬけならストレスを感じないという人もいるのが現状であり、それぞれのレベルに合わせて蓄積装置への記録の可否を決めることが望ましい。
【００２１】
本動作例は、利用者がエラーの発生状態に応じて蓄積装置への記録可否の制御方法を選択することができるようにするものである。
初めに、ステップ1（Ｓ１）において、受信ストリームにエラーがあった場合の蓄積装置部５への蓄積方法について「全部記録する」、「エラーがあったＴＳＰは記録しない」、「エラーがあった場合放送番組全てを削除する」の中から選択する。この選択は、ユーザインタフェース部７の出力装置である表示装置に選択項目を表示し、入力装置であるリモコンなどを用いて項目から選択するようにする。
【００２２】
ステップ1（Ｓ１）において、「全部記録する」が選択された場合にステップ2（Ｓ２）に進む。
ステップ２（Ｓ２）において、蓄積装置制御部４は全てのストリームを記録するように蓄積装置部５を制御する。その後、処理を終了する。
【００２３】
また、ステップ1（Ｓ１）において、「エラーがあったＴＳＰは記録しない」が選択された場合にステップ３（Ｓ３）に進む。
ステップ３（Ｓ３）において、どのようなエラーが発生した場合にＴＳＰを記録しないようにするかを「全てのエラー」、「ビットエラーレートが大きい時」の中から選択する。この選択は、ユーザインタフェース部７の出力装置である表示装置に選択項目を表示し、入力装置であるリモコンなどを用いて項目から選択するようにする。
【００２４】
ステップ３（Ｓ３）において、「全てのエラー」が選択された場合にステップ４（Ｓ４）に進む。
ステップ４（Ｓ４）において、エラー検出処理部１０は伝送路復調化処理部２から蓄積装置制御部４に供給されるＴＳＰのエラー・インジケータ情報を監視し、エラー・インジケータ情報が“０”（エラーなし）の場合にはステップ５（Ｓ５）に進み、エラー・インジケータ情報が“１”（エラーあり）の場合にはステ
ップ６（Ｓ６）に進む。
【００２５】
ステップ５（Ｓ５）において、蓄積装置制御部４にそのエラー・インジケータ情報を送信し、蓄積装置制御部４は伝送路復調化処理部２からのTSPを記録するように蓄積装置部５を制御する。
ステップ６（Ｓ６）において、蓄積装置制御部４にそのエラー・インジケータ情報を送信し、蓄積装置制御部４は伝送路復調化処理部２からのTSPを記録しないように蓄積装置部５を制御する。その後、処理を終了する。
【００２６】
また、ステップ３（Ｓ３）において、「ビットエラーレートが大きい時」が選択された場合にステップ７（Ｓ７）に進む。
ステップ７（Ｓ７）において、予めビットエラーレートの閾値が決められており、エラー検出処理部１０は伝送路復調化処理部２から供給されるビットエラーレートが閾値より小さい場合にはステップ８（Ｓ８）に進み、閾値より大きい場合にはステップ９（Ｓ９）に進む。
【００２７】
ステップ８（Ｓ８）において、蓄積装置制御部４にそのビットエラーレート情報を送信し、蓄積装置制御部４は伝送路復調化処理部２からのTSPを記録するように蓄積装置部５を制御する。
ステップ９（Ｓ９）において、蓄積装置制御部４にそのビットエラーレート情報を送信し、蓄積装置制御部４は伝送路復調化処理部２からのTSPを記録しないように蓄積装置部５を制御する。その後、処理を終了する。
【００２８】
さらに、ステップ1（Ｓ１）において、「エラーがあった場合放送番組全てを削除する」が選択された場合にステップ１０（Ｓ１０）に進む。
ステップ1０（Ｓ１０）において、どのようなエラーが発生した場合に放送番組を削除するようにするかを「全てのエラー」、「ビットエラーレートが大きい時」の中から選択する。この選択は、ユーザインタフェース部７の出力装置である表示装置に選択項目を表示し、入力装置であるリモコンなどを用いて項目から選択するようにする。
【００２９】
ステップ１０（Ｓ１０）において、「全てのエラー」が選択された場合にステップ１１（Ｓ１１）に進む。
ステップ１１（Ｓ１１）において、エラー検出処理部１０は伝送路復調化処理部２から蓄積装置制御部４に供給されるＴＳＰのエラー・インジケータ情報を監視し、エラー・インジケータ情報が“０”（エラーなし）の場合にはステップ１２（Ｓ１２）に進み、エラー・インジケータ情報が“１”（エラーあり）の場合にはステップ１３（Ｓ１３）に進む。
【００３０】
ステップ１２（Ｓ１２）において、蓄積装置制御部４にそのエラー・インジケータ情報を送信し、蓄積装置制御部４は伝送路復調化処理部２からのTSPを記録するように蓄積装置部５を制御する。
ステップ１３（Ｓ１３）において、蓄積装置制御部４にそのエラー・インジケータ情報を送信し、蓄積装置制御部４は伝送路復調化処理部２からの記録していたTSPの番組コンテンツ全てを削除するように蓄積装置部５を制御する。その後、処
理を終了する。
【００３１】
また、ステップ１０（Ｓ１０）において、「ビットエラーレートが大きい時」が選択された場合にステップ１４（Ｓ１４）に進む。
ステップ１４（Ｓ１４）において、予めビットエラーレートの閾値が決められており、エラー検出処理部１０は伝送路復調化処理部２から供給されるビットエラーレートが閾値より小さい場合にはステップ１５（Ｓ１５）に進み、閾値より大きい場合にはステップ１６（Ｓ１６）に進む。
【００３２】
ステップ１５（Ｓ１５）において、蓄積装置制御部４にそのビットエラーレート情報を送信し、蓄積装置制御部４は伝送路復調化処理部２からのTSPを記録するように蓄積装置部５を制御する。
ステップ１６（Ｓ１６）において、蓄積装置制御部４にそのビットエラーレート情報を送信し、蓄積装置制御部４は伝送路復調化処理部２からのTSPを記録していたTSPの番組コンテンツ全てを削除するように蓄積装置部５を制御する。その後、処理を終了する。
【００３３】
以上において設定された設定項目は、CPU部８のメモリ領域に保存され、必要に応じて参照される。以上のようにすることで、利用者にとって視聴に耐えがたいエラーが起こった番組を記録しないようにすることで、容量が限られている蓄積装置に効率よく記録ができるようになる。
【００３４】
以下、図５を用いて本発明の別の具体的な動作例を説明する。図５は、本発明のデジタル放送受信装置の別の動作例を示すフローチャートである。
図２乃至図４における動作例では、エラーの発生状態に応じて蓄積装置部５への記録可否を制御するものであったが、図５における動作例は、図２乃至図４における動作例に更に番組のコンテンツのジャンル情報を関連付けて蓄積装置部５への記録可否を制御するものである。
【００３５】
これは、例えば、リアルタイムに視聴することが望まれるニュース或いは、スポーツの生中継などの番組コンテンツのジャンルを蓄積装置部５に記録する際にエラーが発生した場合に、デコード映像においてブロック歪（或いはエラーがあるＴＳＰだけデコードしないようにすれば画ぬけ）や、デコード音声において「ブチ」音などのノイズが発生しても記録したい、しかし、それ以外のドラマや映画などの番組コンテンツのジャンルは記録したくないという利用者のニーズに対応するものである。
【００３６】
始めに、ステップ１６（Ｓ１６）において、番組コンテンツのジャンルについて「ニュース」、「スポーツ」、「ドラマ」、「映画」、「娯楽」などのジャンルの中から選択してステップ１７（Ｓ１７）に進む。この選択は、ユーザインタフェース部７の出力装置である表示装置に選択項目を表示し、入力装置であるリモコンなどを用いて項目から選択するようにする。
ステップ１７（Ｓ１７）において、図２において説明したフローチャートに進み、その選択結果及び、ステップ１６（Ｓ１６）において選択されたジャンル情報の双方を関連付けてCPU部８のメモリ領域に保存する。この保存情報は必要に応じて参照される。その後、処理を終了する。
【００３７】
この場合のデジタル放送受信装置の動作は、受信ストリームの番組コンテンツのジャンルを監視しつつ、それぞれのジャンルにあったエラー発生時の蓄積装置部５の記録制御を行うことになる。
【００３８】
このようにすることで、番組のコンテンツのジャンルに関連付けした、エラーが発生した場合の蓄積装置部５への記録可否を制御することができるようになり、使用者に対する更なる使い勝手が良くなると共に、容量が限られている蓄積装置に効率よく記録ができるようになる。
【図面の簡単な説明】
【００３９】
【図１】本発明に係る実施の形態におけるデジタル放送受信装置の構成を示すブロック図。
【図２】本発明に係る実施の形態におけるデジタル放送受信装置の第１の動作例を説明するためのフローチャート。
【図３】本発明に係る実施の形態におけるデジタル放送受信装置の第１の動作例を説明するためのフローチャート。
【図４】本発明に係る実施の形態におけるデジタル放送受信装置の第１の動作例を説明するためのフローチャート。
【図５】本発明に係る実施の形態におけるデジタル放送受信装置の第2の動作例を説明するためのフローチャート。
【符号の説明】
【００４０】
１…チューナ部
２…伝送路復調化処理部
３…多重化分離処理部
４…蓄積装置制御部
５…蓄積装置部
６…情報復号処理部
７…ユーザインタフェース部
８…ＣＰＵ部
９…システムバス部
１０…エラー検出処理部
【図１】
2006352906.tif 000003
【図２】
2006352906.tif 000004
【図３】
2006352906.tif 000005
【図４】
2006352906.tif 000006
【図５】
2006352906.tif 000007
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
デジタル信号を受信する受信手段と、
前記受信手段により受信されたデジタル信号を復調する復調手段と、
前記復調手段により復調されたデジタル信号の伝送の誤りを訂正する誤り訂正手段と、
前記誤り訂正手段により誤り訂正を施されたデジタル信号を記録する蓄積手段と、
前記誤り訂正手段により誤り訂正を施されたデジタル信号のエラーを検出するエラー検出手段と、
前記エラー検出手段における検出結果を用いて前記蓄積手段を制御する蓄積制御手段と、
番組コンテンツのジャンルを示すジャンル情報を入力する入力手段とを備え、
前記蓄積制御手段は、前記エラー検出手段によりエラーが検出された場合に、前記入力手段により入力された前記番組コンテンツのジャンル情報に基づいて番組コンテンツを削除するか否かを決定することを特徴とする受信装置。
【請求項２】
請求項１に記載の受信装置において、
前記エラー検出手段は前記誤り訂正手段により誤り訂正されたデジタル信号中のビット・エラーの有無を示すエラー・インジケータを用いてエラーを検出し、
前記エラー・インジケータは前記復調されたデジタル信号が前記誤り訂正手段により誤り訂正される過程で設定されることを特徴とする受信装置。
【請求項３】
請求項１に記載の受信装置において、
前記エラー検出手段は前記誤り訂正手段により誤り訂正されたデジタル信号中のビットエラーレートが予め決められたビットエラーレートの閾値より大きい場合はエラーを検出し、
前記誤り訂正されたデジタル信号中のビットエラーレートは前記復調されたデジタル信号が前記誤り訂正手段により誤り訂正される過程で設定されることを特徴とする受信装置。
【請求項４】
デジタル信号を受信する受信手段と、
前記受信手段により受信されたデジタル信号を復調する復調手段と、
前記復調手段により復調されたデジタル信号の伝送の誤りを訂正する誤り訂正手段と、
前記誤り訂正手段により誤り訂正を施されたデジタル信号を記録する蓄積手段と、
前記誤り訂正手段により誤り訂正を施されたデジタル信号及び前記蓄積手段に記録されたデジタル信号を分離する分離手段と、
前記分離手段により分離されたデジタル信号を復号する復号手段と、
前記復号手段により復号されたデジタル信号を出力する出力手段と、
前記誤り訂正手段により誤り訂正を施されたデジタル信号のエラーを検出するエラー検出処理部と、
前記エラー検出処理部における検出結果を用いて前記蓄積装置部を制御する蓄積装置制御部と、
前記蓄積制御手段に番組コンテンツのジャンルを示すジャンル情報を入力する入力手段とを備え、
前記蓄積制御手段は、前記エラー検出手段によりエラーが検出された場合に、前記入力手段により入力された前記番組コンテンツのジャンル情報と前記蓄積手段に記録している番組コンテンツのジャンルとを比較して前記蓄積手段に記録している番組コンテンツを削除するか否かを決定することを特徴とする受信装置。
【請求項５】
請求項４に記載の受信装置において、
前記出力手段は、前記復号手段が復号したデジタル信号を表示することを特徴とする受信装置。
【請求項６】
番組の映像データ、番組の音声データを含むストリームを受信し、選局するチューナと、
前記チューナにより受信したストリームを復調及び誤り訂正処理を行う伝送路復調化処理部と、
前記伝送路復調化処理部により復調及び誤り訂正処理を施されたストリームを記録する記録部と、
前記伝送路復調化処理部により復調及び誤り訂正処理を施されたストリーム及び前記記録部に記録されたストリームに分離処理を施す多重分離化処理部と、
前記多重分離化処理部により分離された前記番組の映像データ、番組の音声データの復号を行う復号処理部と、
前記伝送路復調化処理部における復調及び誤り訂正処理の過程におけるストリームのエラーを検出するエラー検出処理部と、
前記エラー検出処理部において検出されたエラーを基に前記記録部を制御する制御部と、
削除すべき番組のジャンル又は記録すべき番組のジャンルを入力する入力部を備え、
前記制御部は、前記エラー検出処理部によりエラーが検出された場合に前記入力部により入力された番組のジャンルに基づいて番組の記録の可否を制御することを特徴とする受信装置。
【請求項７】
番組データを受信する受信手段と、
前記受信手段により受信された番組データを復調する復調手段と、
前記復調手段により復調された番組データの伝送の誤りを訂正する誤り訂正手段と、
前記誤り訂正手段により誤り訂正を施された番組データを記録する記録手段と、
前記誤り訂正手段により誤り訂正を施された番組データのエラーを検出するエラー検出手段と、
前記エラー検出手段における検出結果を用いて前記記録手段を制御する制御手段と、
前記エラー検出手段によりエラーが検出された場合に削除する番組のジャンル情報を入力する入力手段とを備え、
前記制御手段は、前記エラー検出手段によりエラーが検出された場合に前記ジャンル情報を用いて前記受信された番組データを削除することを特徴とする受信装置。
【請求項８】
番組データを受信する受信手段と、
前記受信手段により受信された番組データを復調する復調手段と、
前記復調手段により復調された番組データの伝送の誤りを訂正する誤り訂正手段と、
前記誤り訂正手段により誤り訂正を施された番組データを記録する記録手段と、
前記誤り訂正手段により誤り訂正を施された番組データのエラーを検出するエラー検出手段と、
前記エラー検出手段における検出結果を用いて前記記録手段を制御する制御手段と、
前記エラー検出手段によりエラーが検出された場合に記録する番組のジャンル情報を入力する入力手段とを備え、
前記制御手段は、前記エラー検出手段によりエラーが検出された場合であっても前記ジャンル情報を用いて前記受信された番組データを記録することを特徴とする受信装置。